(57)【要約】【課題】互いに通信したい者同士の通話要求を優先できるトラフィック制御装置並びにトラフィック制御システムを提供する。【解決手段】トラフィック制御装置２は、回線の輻輳状態においてユーザ電話機Ａがユーザ電話機Ｂに対して通話要求を行なった場合に、ユーザ電話機Ａの電話番号と、ユーザ電話機Ａから発信したユーザ電話機Ｂの電話番号とを例えば３０分間記録する優先番号データベース３と、大規模災害がユーザ電話機Ａの地域で発生し、回線の輻輳状態においてユーザ電話機Ｂがユーザ電話機Ａに対して通話要求を行なったとき、ユーザ電話機Ｂから発信するユーザ電話機Ａの電話番号と、ユーザ電話機Ｂの電話番号とが、優先番号データベース３に記録された電話番号であるかどうかを判定し、記録された電話番号であると判定した場合に、ユーザ電話機Ａとユーザ電話機Ｂとの間の通話要求を優先させる優先制御手段４を有する。【選択図】図１
2011239316.tif 000002
【特許請求の範囲】
【請求項１】
ユーザ通信端末の通信要求が拒絶された場合に、通信要求を行ったユーザ通信端末の識別子若しくは通信要求を行ったユーザ通信端末が属するグループの識別子の少なくとも一方を通信要求を行ったユーザ通信端末若しくは通信要求を行ったユーザ通信端末が属するグループとして記録すると共に、通信要求がなされたユーザ通信端末の識別子若しくは通信要求がなされたユーザ通信端末が属するグループの識別子の少なくとも一方を通信要求がなされたユーザ通信端末若しくは通信要求がなされたユーザ通信端末が属するグループとして記録する優先識別子記録手段と、
ユーザ通信端末が通信要求を行った場合に、通信要求を行ったユーザ通信端末の識別子若しくは通信要求を行ったユーザ通信端末が属するグループの識別子の少なくとも一方が通信要求がなされたユーザ通信端末若しくは通信要求がなされたユーザ通信端末が属するグループとして前記優先識別子記録手段に記録されると共に、通信要求がなされたユーザ通信端末の識別子若しくは通信要求がなされたユーザ通信端末が属するグループの識別子の少なくとも一方が通信要求を行ったユーザ通信端末若しくは通信要求を行ったユーザ通信端末が属するグループとして前記優先識別子記録手段に記録されているかどうかを判定し、記録された識別子であると判定した場合に、ユーザ通信端末の通信要求を優先させる優先制御手段とを備える
トラフィック制御装置。
【請求項２】
ユーザ通信端末間の通信要求の優先順位を設定する通信優先順位設定手段を備え、
前記優先制御手段は、前記通信優先順位設定手段によって設定された優先順位に従ってユーザ通信端末間の通信要求を優先させる
請求項１に記載のトラフィック制御装置。
【請求項３】
前記通信優先順位設定手段によって設定された優先順位に従って通信回線をユーザ通信端末間の通信要求に割り当てる通信回線割当手段を備える
請求項２に記載のトラフィック制御装置。
【請求項４】
前記優先識別子記録手段は、所定期間経過後に記録している識別子を消去する
請求項１、請求項２または請求項３に記載のトラフィック制御装置。
【請求項５】
ユーザ通信端末の通信要求がなされた場合に、通信要求を行ったユーザ通信端末の識別子若しくは通信要求を行ったユーザ通信端末が属するグループの識別子の少なくとも一方を通信要求を行ったユーザ通信端末若しくは通信要求を行ったユーザ通信端末が属するグループとして記録すると共に、通信要求がなされたユーザ通信端末の識別子若しくは通信要求がなされたユーザ通信端末が属するグループの識別子の少なくとも一方を通信要求がなされたユーザ通信端末若しくは通信要求がなされたユーザ通信端末が属するグループとして記録する優先識別子記録手段と、
ユーザ通信端末が通信要求を行った場合に、通信要求を行ったユーザ通信端末の識別子若しくは通信要求を行ったユーザ通信端末が属するグループの識別子の少なくとも一方が通信要求がなされたユーザ通信端末若しくは通信要求がなされたユーザ通信端末が属するグループとして前記優先識別子記録手段に記録されると共に、通信要求がなされたユーザ通信端末の識別子若しくは通信要求がなされたユーザ通信端末が属するグループの識別子の少なくとも一方が通信要求を行ったユーザ通信端末若しくは通信要求を行ったユーザ通信端末が属するグループとして前記優先識別子記録手段に記録されているかどうかを判定し、記録された識別子であると判定した場合に、ユーザ通信端末の通信要求を優先させる優先制御手段とを備える
トラフィック制御装置。
【請求項６】
ユーザが利用する複数のユーザ通信端末と、
ユーザ通信端末の通信要求が拒絶された場合に、通信要求を行ったユーザ通信端末の識別子若しくは通信要求を行ったユーザ通信端末が属するグループの識別子の少なくとも一方を通信要求を行ったユーザ通信端末若しくは通信要求を行ったユーザ通信端末が属するグループとして記録すると共に、通信要求がなされたユーザ通信端末の識別子若しくは通信要求がなされたユーザ通信端末が属するグループの識別子の少なくとも一方を通信要求がなされたユーザ通信端末若しくは通信要求がなされたユーザ通信端末が属するグループとして記録する優先識別子記録手段と、ユーザ通信端末が通信要求を行った場合に、通信要求を行ったユーザ通信端末の識別子若しくは通信要求を行ったユーザ通信端末が属するグループの識別子の少なくとも一方が通信要求がなされたユーザ通信端末若しくは通信要求がなされたユーザ通信端末が属するグループとして前記優先識別子記録手段に記録されると共に、通信要求がなされたユーザ通信端末の識別子若しくは通信要求がなされたユーザ通信端末が属するグループの識別子の少なくとも一方が通信要求を行ったユーザ通信端末若しくは通信要求を行ったユーザ通信端末が属するグループとして前記優先識別子記録手段に記録されているかどうかを判定し、記録された識別子であると判定した場合に、ユーザ通信端末の通信要求を優先させる優先制御手段を有するトラフィック制御装置とを備える
トラフィック制御システム。
【請求項７】
ユーザが利用する複数のユーザ通信端末と、
ユーザ通信端末の通信要求がなされた場合に、通信要求を行ったユーザ通信端末の識別子若しくは通信要求を行ったユーザ通信端末が属するグループの識別子の少なくとも一方を通信要求を行ったユーザ通信端末若しくは通信要求を行ったユーザ通信端末が属するグループとして記録すると共に、通信要求がなされたユーザ通信端末の識別子若しくは通信要求がなされたユーザ通信端末が属するグループの識別子の少なくとも一方を通信要求がなされたユーザ通信端末若しくは通信要求がなされたユーザ通信端末が属するグループとして記録する優先識別子記録手段と、ユーザ通信端末が通信要求を行った場合に、通信要求を行ったユーザ通信端末の識別子若しくは通信要求を行ったユーザ通信端末が属するグループの識別子の少なくとも一方が通信要求がなされたユーザ通信端末若しくは通信要求がなされたユーザ通信端末が属するグループとして前記優先識別子記録手段に記録されると共に、通信要求がなされたユーザ通信端末の識別子若しくは通信要求がなされたユーザ通信端末が属するグループの識別子の少なくとも一方が通信要求を行ったユーザ通信端末若しくは通信要求を行ったユーザ通信端末が属するグループとして前記優先識別子記録手段に記録されているかどうかを判定し、記録された識別子であると判定した場合に、ユーザ通信端末の通信要求を優先させる優先制御手段を有するトラフィック制御装置とを備える
トラフィック制御システム。
【発明の詳細な説明】
【技術分野】
【０００１】
本発明はトラフィック制御装置及びトラフィック制御システムに関する。詳しくは、例えば、被災地など電話がかかり難い地域に関してトラフィック制御を行なうトラフィック制御装置及びトラフィック制御システムに係るものである。
【背景技術】
【０００２】
電話などの通信は、道路交通のように許容量があり、道路の渋滞と同じ様に混雑が発生し、なかなか電話がつながらない場合がある。これを「輻輳」という。一般的に、通信許容量が限界に達する前に通信を制限し、通信システムのダウンを防ぐ。
【０００３】
輻輳は、例えば、大規模災害発生時の安否確認、救助要請若しくは状況確認等（以下、「安否確認等」と称する）の電話や、各種チケット予約開始時の電話が原因で発生する。
即ち、大地震や、台風による風水害などの自然災害が発生した時、被災地以外の地域から被災地に安否確認等の電話が集中し、なかなか電話がつながらなくなってしまう。また、通信機器や通信回線自体も被災している場合もあり、通信システムの通信許容量が通常よりも減少していることがある。
【０００４】
また、コンサートやスポーツイベントなどのチケット予約が開始されると、予約受付窓口に大量の電話が集中し、さらに、つながらない場合は再度かけ直すため、輻輳状態は悪化する。
【０００５】
また、様々な通信でも同様で、例えばインターネットを利用した通信においては、ルータの処理速度を超えたパケット量が来た場合や、回線のスピードを上回るパケットを送信しようとした場合に輻輳は発生する。
【０００６】
そこで、例えば特許文献１には、仮想端末識別子毎に管理されたそれぞれの端末についてトラフィック制御を行い、データベースで管理している情報を変更するだけで実際にトラフィック制御の対象となる端末を自由に変更できるトラフィック制御方法が開示されている。
【先行技術文献】
【特許文献】
【０００７】
【特許文献１】特開２００２−２６９８１号公報
【発明の概要】
【発明が解決しようとする課題】
【０００８】
ところで、例えば、大規模災害が発生して輻輳状態が発生したとき、家族間の通信や友人間、または近所の知人間の通信というような互いに連絡を取り合うことを欲する者同士の通信を優先して確保したいといったニーズが現に存在している。
【０００９】
本発明は、以上の点に鑑みて創案されたものであり、互いに通信したい者同士の通信を優先できるトラフィック制御装置、並びにこのようなトラフィック制御装置を用いたトラフィック制御システムを提供することを目的とする。
【課題を解決するための手段】
【００１０】
上記の目的を達成するために、本発明のトラフィック制御装置は、ユーザ通信端末の通信要求が拒絶された場合に、通信要求を行ったユーザ通信端末の識別子若しくは通信要求を行ったユーザ通信端末が属するグループの識別子の少なくとも一方を通信要求を行ったユーザ通信端末若しくは通信要求を行ったユーザ通信端末が属するグループとして記録すると共に、通信要求がなされたユーザ通信端末の識別子若しくは通信要求がなされたユーザ通信端末が属するグループの識別子の少なくとも一方を通信要求がなされたユーザ通信端末若しくは通信要求がなされたユーザ通信端末が属するグループとして記録する優先識別子記録手段と、ユーザ通信端末が通信要求を行った場合に、通信要求を行ったユーザ通信端末の識別子若しくは通信要求を行ったユーザ通信端末が属するグループの識別子の少なくとも一方が通信要求がなされたユーザ通信端末若しくは通信要求がなされたユーザ通信端末が属するグループとして前記優先識別子記録手段に記録されると共に、通信要求がなされたユーザ通信端末の識別子若しくは通信要求がなされたユーザ通信端末が属するグループの識別子の少なくとも一方が通信要求を行ったユーザ通信端末若しくは通信要求を行ったユーザ通信端末が属するグループとして前記優先識別子記録手段に記録されているかどうかを判定し、記録された識別子であると判定した場合に、ユーザ通信端末の通信要求を優先させる優先制御手段とを備える。
【００１１】
また、本発明のトラフィック制御装置は、ユーザ通信端末の通信要求がなされた場合に、通信要求を行ったユーザ通信端末の識別子若しくは通信要求を行ったユーザ通信端末が属するグループの識別子の少なくとも一方を通信要求を行ったユーザ通信端末若しくは通信要求を行ったユーザ通信端末が属するグループとして記録すると共に、通信要求がなされたユーザ通信端末の識別子若しくは通信要求がなされたユーザ通信端末が属するグループの識別子の少なくとも一方を通信要求がなされたユーザ通信端末若しくは通信要求がなされたユーザ通信端末が属するグループとして記録する優先識別子記録手段と、ユーザ通信端末が通信要求を行った場合に、通信要求を行ったユーザ通信端末の識別子若しくは通信要求を行ったユーザ通信端末が属するグループの識別子の少なくとも一方が通信要求がなされたユーザ通信端末若しくは通信要求がなされたユーザ通信端末が属するグループとして前記優先識別子記録手段に記録されると共に、通信要求がなされたユーザ通信端末の識別子若しくは通信要求がなされたユーザ通信端末が属するグループの識別子の少なくとも一方が通信要求を行ったユーザ通信端末若しくは通信要求を行ったユーザ通信端末が属するグループとして前記優先識別子記録手段に記録されているかどうかを判定し、記録された識別子であると判定した場合に、ユーザ通信端末の通信要求を優先させる優先制御手段とを備える。
【００１２】
また、上記の目的を達成するために、本発明のトラフィック制御システムは、ユーザが利用する複数のユーザ通信端末と、ユーザ通信端末の通信要求が拒絶された場合に、通信要求を行ったユーザ通信端末の識別子若しくは通信要求を行ったユーザ通信端末が属するグループの識別子の少なくとも一方を通信要求を行ったユーザ通信端末若しくは通信要求を行ったユーザ通信端末が属するグループとして記録すると共に、通信要求がなされたユーザ通信端末の識別子若しくは通信要求がなされたユーザ通信端末が属するグループの識別子の少なくとも一方を通信要求がなされたユーザ通信端末若しくは通信要求がなされたユーザ通信端末が属するグループとして記録する優先識別子記録手段と、ユーザ通信端末が通信要求を行った場合に、通信要求を行ったユーザ通信端末の識別子若しくは通信要求を行ったユーザ通信端末が属するグループの識別子の少なくとも一方が通信要求がなされたユーザ通信端末若しくは通信要求がなされたユーザ通信端末が属するグループとして前記優先識別子記録手段に記録されると共に、通信要求がなされたユーザ通信端末の識別子若しくは通信要求がなされたユーザ通信端末が属するグループの識別子の少なくとも一方が通信要求を行ったユーザ通信端末若しくは通信要求を行ったユーザ通信端末が属するグループとして前記優先識別子記録手段に記録されているかどうかを判定し、記録された識別子であると判定した場合に、ユーザ通信端末の通信要求を優先させる優先制御手段を有するトラフィック制御装置とを備える。
【００１３】
また、本発明のトラフィック制御システムは、ユーザが利用する複数のユーザ通信端末と、ユーザ通信端末の通信要求がなされた場合に、通信要求を行ったユーザ通信端末の識別子若しくは通信要求を行ったユーザ通信端末が属するグループの識別子の少なくとも一方を通信要求を行ったユーザ通信端末若しくは通信要求を行ったユーザ通信端末が属するグループとして記録すると共に、通信要求がなされたユーザ通信端末の識別子若しくは通信要求がなされたユーザ通信端末が属するグループの識別子の少なくとも一方を通信要求がなされたユーザ通信端末若しくは通信要求がなされたユーザ通信端末が属するグループとして記録する優先識別子記録手段と、ユーザ通信端末が通信要求を行った場合に、通信要求を行ったユーザ通信端末の識別子若しくは通信要求を行ったユーザ通信端末が属するグループの識別子の少なくとも一方が通信要求がなされたユーザ通信端末若しくは通信要求がなされたユーザ通信端末が属するグループとして前記優先識別子記録手段に記録されると共に、通信要求がなされたユーザ通信端末の識別子若しくは通信要求がなされたユーザ通信端末が属するグループの識別子の少なくとも一方が通信要求を行ったユーザ通信端末若しくは通信要求を行ったユーザ通信端末が属するグループとして前記優先識別子記録手段に記録されているかどうかを判定し、記録された識別子であると判定した場合に、ユーザ通信端末の通信要求を優先させる優先制御手段を有するトラフィック制御装置とを備える。
【００１４】
ここで、ユーザ通信端末が通信要求を行った場合に、通信要求を行ったユーザ通信端末の識別子若しくは通信要求を行ったユーザ通信端末が属するグループの識別子の少なくとも一方が通信要求がなされたユーザ通信端末若しくは通信要求がなされたユーザ通信端末が属するグループとして優先識別子記録手段に記録されると共に、通信要求がなされたユーザ通信端末の識別子若しくは通信要求がなされたユーザ通信端末が属するグループの識別子の少なくとも一方が通信要求を行ったユーザ通信端末若しくは通信要求を行ったユーザ通信端末が属するグループとして優先識別子記録手段に記録されているかどうかを判定し、記録された識別子であると判定した場合に、ユーザ通信端末の通信要求を優先させる優先制御手段によって、通信を行いたい者が通信要求を行うものの輻輳状態等の理由でユーザ通信端末の通信要求が拒絶された場合に、（１）通信要求がなされたユーザが通信要求を行ったユーザに対して通信要求したいと思い通信要求した際や、（２）通信要求がなされたユーザと同グループに属するユーザが通信要求を行ったユーザに対して通信要求したいと思い通信要求した際や、（３）通信要求がなされたユーザが通信要求を行ったユーザと同グループに属するユーザに対して通信要求したいと思い通信要求した際や、（４）通信要求がなされたユーザと同グループに属するユーザが通信要求を行ったユーザと同グループに属するユーザに対して通信要求したいと思い通信要求した際に、こうしたユーザ間の通信を優先することができる。
【００１５】
また、ユーザ通信端末が通信要求を行った場合に、通信要求を行ったユーザ通信端末の識別子若しくは通信要求を行ったユーザ通信端末が属するグループの識別子の少なくとも一方が通信要求がなされたユーザ通信端末若しくは通信要求がなされたユーザ通信端末が属するグループとして優先識別子記録手段に記録されると共に、通信要求がなされたユーザ通信端末の識別子若しくは通信要求がなされたユーザ通信端末が属するグループの識別子の少なくとも一方が通信要求を行ったユーザ通信端末若しくは通信要求を行ったユーザ通信端末が属するグループとして優先識別子記録手段に記録されているかどうかを判定し、記録された識別子であると判定した場合に、ユーザ通信端末の通信要求を優先させる優先制御手段によって、（１）過去に通信要求がなされたユーザが過去に通信要求を行ったユーザに対して通信要求したいと思い通信要求した際や、（２）過去に通信要求がなされたユーザと同グループに属するユーザが過去に通信要求を行ったユーザに対して通信要求したいと思い通信要求した際や、（３）過去に通信要求がなされたユーザが過去に通信要求を行ったユーザと同グループに属するユーザに対して通信要求したいと思い通信要求した際や、（４）過去に通信要求がなされたユーザと同グループに属するユーザが過去に通信要求を行ったユーザと同グループに属するユーザに対して通信要求したいと思い通信要求した際に、こうしたユーザ間の通信を優先することができる。
【００１６】
また、本発明のトラフィック制御装置がユーザ通信端末間の通信要求の優先順位を設定する通信優先順位設定手段を備え、優先制御手段が通信優先順位設定手段によって設定された優先順位に従ってユーザ通信端末間の通信要求を優先させる場合には、優先させる通信要求が決まっているので制御を行ないやすくなる。
【発明の効果】
【００１７】
本発明に係るトラフィック制御装置及びトラフィック制御システムは、互いに通信したい者同士の通信要求を優先できる。
【図面の簡単な説明】
【００１８】
【図１】本発明のトラフィック制御システムの構成の一例を示す概略図である。
【図２】本発明のトラフィック制御システムの第１の実施態様の流れを示す概略フロー図である。
【図３】本発明のトラフィック制御システムの第２の実施態様の流れを示す概略フロー図である。
【発明を実施するための形態】
【００１９】
以下、本発明の実施の形態について図面を参照しながら説明し、本発明の理解に供する。
【００２０】
［トラフィック制御システムの構成］
図１は、本発明のトラフィック制御システムの構成の一例を示す概略図である。本発明のトラフィック制御システム１は、トラフィック制御装置２と、ユーザ電話機（ユーザ通信端末の一例である）Ａ〜Ｃとを備える。なお、ユーザ電話機Ａ〜Ｃはそれぞれ、電話回線網７を介して接続されており、電話回線網７には加入者交換機８や中継交換機９が含まれている。
【００２１】
また、トラフィック制御装置２はユーザ電話機の電話番号（識別子の一例である）を所定の期間だけ記録する優先番号データベース（優先識別子記録手段の一例である）３を有する。
【００２２】
更に、トラフィック制御装置２は優先制御手段４を有しており、優先番号データベース３に記録された電話番号であると判定した場合に、優先制御手段４によって通話要求が優先されることとなる。
【００２３】
なお、トラフィック制御装置２はユーザ電話機間の通話要求の優先順位を設定する通話優先順位設定手段５を有しており、優先制御手段４は通話優先順位設定手段５によって設定された優先順位に従ってユーザ電話機間の通話要求を優先することとなる。また、トラフィック制御装置２は、通話優先順位設定手段５によって設定された優先順位に従って電話回線網７をユーザ電話機間の通話に割り当てる通話回線割当手段６を有する。
【００２４】
なお、以下の実施態様では、識別子の一例として電話番号を例に挙げて説明を行っているが、ユーザ通信端末（ここではユーザ電話機）を識別することができれば必ずしも電話番号でなくても良く、例えば、電子メールアドレス、ＩＰアドレス、ＭＡＣアドレス、ＩＤ、周波数、名前、生体情報やＵＲＬ（ＵＲＬ：Ｕｎｉｆｏｒｍ  Ｒｅｓｏｕｒｃｅ  Ｌｏｃａｔｏｒ）でも良い。
【００２５】
また、図１で示すトラフィック制御システムの構成では、ユーザ電話機Ａ〜Ｃを接続する電話回線網７にトラフィック制御装置２、加入者交換機８及び中継交換機９を有する場合を例に挙げているが、トラフィック制御装置２は、ユーザ電話機間の通話要求を制御することができれば充分であり、トラフィック制御装置２の機能の全部若しくは一部が加入者交換機８内や中継交換機９内に設けられていても良い。即ち、加入者交換機８や中継交換機９がトラフィック制御装置２の機能の全部若しくは一部を有していても良い。また、トラフィック制御装置２の機能の全部若しくは一部がユーザ電話機Ａ〜Ｃ内に設けられていても良い。即ち、ユーザ電話機Ａ〜Ｃがトラフィック制御装置２の機能の全部若しくは一部を有していても良い。
【００２６】
以下、上記の様に構成されたトラフィック制御システムの実施態様について説明を行う。具体的には、第１の実施態様、第２の実施態様及び第３の実施態様について説明を行う。
【００２７】
［第１の実施態様］
第１の実施態様のトラフィック制御装置２は、大規模災害が一のユーザ電話機（例えば、ユーザ電話機Ａ）の地域で発生し、回線の輻輳状態において一のユーザ電話機（例えば、ユーザ電話機Ａ）が他のユーザ電話機（例えば、ユーザ電話機Ｂ）に対して電話回線網７を介して通話要求を行うが輻輳状態のため通話要求が許可されなかった場合に、一のユーザ電話機（例えば、ユーザ電話機Ａ）の電話番号と、一のユーザ電話機（例えば、ユーザ電話機Ａ）から発信した他のユーザ電話機（例えば、ユーザ電話機Ｂ）の電話番号とを、優先番号データベース３に例えば３０分間記録する。
【００２８】
このとき、優先番号データベース３は、一のユーザ電話機（例えば、ユーザ電話機Ａ）の電話番号を発信側電話番号として記録し、他のユーザ電話機（例えば、ユーザ電話機Ｂ）の電話番号を着信側電話番号として記録する。
【００２９】
そして、優先制御手段４は、回線の輻輳状態において他のユーザ電話機（例えば、ユーザ電話機Ｂ）が一のユーザ電話機（例えば、ユーザ電話機Ａ）に対して通話要求を行なったとき、他のユーザ電話機（例えば、ユーザ電話機Ｂ）から発信する一のユーザ電話機（例えば、ユーザ電話機Ａ）の電話番号と、他のユーザ電話機（例えば、ユーザ電話機Ｂ）の電話番号とが、優先番号データベース３に記録された電話番号であるかどうかを判定し、一のユーザ電話機（例えば、ユーザ電話機Ａ）の電話番号が発信側電話番号として記録された電話番号であり、他のユーザ電話機（例えば、ユーザ電話機Ｂ）の電話番号が着信側電話番号として記録された電話番号であると判定した場合に、ユーザ電話機Ａとユーザ電話機Ｂとの間の通話要求を優先させる。
【００３０】
ここで、発信側電話番号として記録されていた電話番号が着信側電話番号となっていること、もしくは着信側電話番号として記録されていた電話番号が発信側電話番号となっていることを確認することで、例えば、一のユーザ電話機（例えば、ユーザ電話機Ａ）が２回連続して発信した場合に通話要求が優先されることを防ぐことができる。
【００３１】
また、優先制御手段４は、優先番号データベース３に登録されている電話番号のうち、登録が新しいものを優先する様に構成されている。即ち、通話優先順位設定手段５には、登録が新しいものを優先する様に優先順位が設定されており、こうした優先順位に従って優先制御手段４はユーザ電話機間の通話要求を制御することとなる。
なお、登録が新しいものを優先するのは、先の通話要求時点からの経過時間が短い方が、互いに通話したいという要求が一般に強いと考えられるからである。
【００３２】
例えば、ユーザ電話機Ｘがユーザ電話機Ｙに対して電話回線網７を介して通話要求を行い、その通話要求よりも後に、ユーザ電話機Ａがユーザ電話機Ｂに対して電話回線網７を介して通話要求を行ったとする。なお、通話要求に伴って、これらの電話番号が優先番号データベース３に記録される。
こうした場合に、ユーザ電話機Ｂからユーザ電話機Ａへ、また、ユーザ電話機Ｙからユーザ電話機Ｘへそれぞれ通話要求がなされたとすると、優先制御手段４は、ユーザ電話機Ｂからユーザ電話機Ａへの通話要求を、ユーザ電話機Ｙからユーザ電話機Ｘへの通話要求よりも優先するといった具合である。
【００３３】
ここで、第１の実施態様では、優先制御手段４が優先番号データベース３に登録されている電話番号のうち、登録が新しいものを優先する様に構成された場合を例に挙げて説明を行っているが、必ずしも登録が新しいものを優先する様に構成される必要は無く、［１］登録が古いものを優先する様に構成、［２］登録の回数が多いものを優先する様に構成、［３］登録の回数が少ないものを優先する様に構成、［４］被災地からの通話要求を優先する様に構成、［５］被災地内同士の通話要求を優先する様に構成、［６］事前に登録がなされたもの同士を優先する様に構成しても良い。以下、それぞれについて説明を行う。
【００３４】
［１．登録が古いものを優先する様に構成］
優先制御手段４は、優先番号データベース３に登録されている電話番号のうち、登録が古いものを優先する様に構成されても良い。即ち、通話優先順位設定手段５には、登録が古いものを優先する様に優先順位が設定され、こうした優先順位に従って優先制御手段４がユーザ電話機間の通話要求を制御しても良い。
【００３５】
なお、登録が古いものを優先するのは、本発明のシステムが広く利用者に周知された場合に、一度通話を希望していればその後は待っていれば良いと考える利用者が出てくることが想像できる。こうした状況では、多数の利用者が皆同じ対応をすると初期に通話要求を行った者は、場合によっては（例えば、上述した登録が新しい者を優先させるシステムでは）、次々に来る新しい通話要求に先を越されてしまうこととなる。そして、本発明が利用される通話要求は大多数が利用する重要な社会インフラであるため、先に通話要求をした者が後に通話要求した者より優先されなければモラルに問題が生じ、社会的不満が生じることもあり得るため、上述の通り、利用状況に合わせて場合によっては、優先番号データベース３に登録されている電話番号のうち、登録が古いものを優先する様に優先制御手段４が構成されても良い。
【００３６】
例えば、ユーザ電話機Ｘがユーザ電話機Ｙに対して電話回線網７を介して通話要求を行い、その通話要求よりも後に、ユーザ電話機Ａがユーザ電話機Ｂに対して電話回線網７を介して通話要求を行ったとする。なお、通話要求に伴って、これらの電話番号が優先番号データベース３に記録される。
こうした場合に、ユーザ電話機Ｂからユーザ電話機Ａへ、また、ユーザ電話機Ｙからユーザ電話機Ｘへそれぞれ通話要求がなされたとすると、優先制御手段４は、ユーザ電話機Ｙからユーザ電話機Ｘへの通話要求を、ユーザ電話機Ｂからユーザ電話機Ａへの通話要求よりも優先するといった具合である。
【００３７】
［２．登録の回数が多いものを優先する様に構成］
優先制御手段４は、優先番号データベース３に登録されている電話番号のうち、登録の回数が多いものを優先する様に構成されても良い。即ち、通話優先順位設定手段５には、登録の回数が多いものを優先する様に優先順位が設定され、こうした優先順位に従って優先制御手段４がユーザ電話機間の通話要求を制御しても良い。
【００３８】
なお、登録の回数が多いものを優先するのは、強く通話を希望している者は通話要求を何度も行う可能性が高く、登録の回数が多いものの方が通話したいという要求が一般に強いと考えられるからである。
【００３９】
例えば、ユーザ電話機Ｘがユーザ電話機Ｙに対して電話回線網７を介して通話要求を５回行い、ユーザ電話機Ａがユーザ電話機Ｂに対して電話回線網７を介して通話要求を１０回行ったとする。なお、通話要求に伴って、これらの電話番号が優先番号データベース３に記録される。
こうした場合に、ユーザ電話機Ｂからユーザ電話機Ａへ、また、ユーザ電話機Ｙからユーザ電話機Ｘへそれぞれ通話要求がなされたとすると、優先制御手段４は、ユーザ電話機Ｂからユーザ電話機Ａへの通話要求を、ユーザ電話機Ｙからユーザ電話機Ｘへの通話要求よりも優先するといった具合である。
【００４０】
［３．登録の回数が少ないものを優先する様に構成］
優先制御手段４は、優先番号データベース３に登録されている電話番号のうち、登録の回数が少ないものを優先する様に構成されても良い。即ち、通話優先順位設定手段５には、登録の回数が少ないものを優先する様に優先順位が設定され、こうした優先順位に従って優先制御手段４がユーザ電話機間の通話要求を制御しても良い。
【００４１】
なお、登録の回数が少ないものを優先するのは、輻輳の悪化を抑止するためである。即ち、本発明のシステムが広く利用者に周知された場合に、上述した登録回数が多いものを優先させるシステムを採用すると、通話要求の回数が多ければ優先されるために何度も繰り返し通話要求をする者が出てくることが容易に想像でき、こうした場合には輻輳が悪化する一因となりかねない。そのため、輻輳の悪化の一因を予防すべく、上述の通り、利用状況に合わせて場合によっては、優先番号データベース３に登録されている電話番号のうち、登録の回数が少ないものを優先する様に優先制御手段４が構成されても良い。
【００４２】
例えば、ユーザ電話機Ｘがユーザ電話機Ｙに対して電話回線網７を介して通話要求を５回行い、ユーザ電話機Ａがユーザ電話機Ｂに対して電話回線網７を介して通話要求を１０回行ったとする。なお、通話要求に伴って、これらの電話番号が優先番号データベース３に記録される。
こうした場合に、ユーザ電話機Ｂからユーザ電話機Ａへ、また、ユーザ電話機Ｙからユーザ電話機Ｘへそれぞれ通話要求がなされたとすると、優先制御手段４は、ユーザ電話機Ｙからユーザ電話機Ｘへの通話要求を、ユーザ電話機Ｂからユーザ電話機Ａへの通話要求よりも優先するといった具合である。
【００４３】
［４．被災地からの通話要求を優先する様に構成］
優先制御手段４は、優先番号データベース３に登録されている電話番号のうち、被災地（輻輳状態である地域）からの通話要求を優先する様に構成されても良い。即ち、通話優先順位設定手段５には、被災地からの通話要求を優先する様に優先順位が設定され、こうした優先順位に従って優先制御手段４がユーザ電話機間の通話要求を制御しても良い。
【００４４】
なお、被災地からの通話要求を優先するのは、被災地にいる者と被災地外にいる者とでは、被災地にいる者の方が時間的に余裕が無いことが多く、被災地外から被災地への通話要求よりも、被災地から被災地外への通話要求を優先する必要があると考えられるからである。
【００４５】
例えば、被災地にあるユーザ電話機Ｘが被災地外にあるユーザ電話機Ｙに対して電話回線網７を介して通話要求を行い、被災地外にあるユーザ電話機Ａが被災地にあるユーザ電話機Ｂに対して電話回線網７を介して通話要求を行ったとする。なお、通話要求に伴って
これらの電話番号が優先番号データベース３に記録される。
こうした場合に、被災地にあるユーザ電話機Ｂから被災地外にあるユーザ電話機Ａへ、また、被災地外にあるユーザ電話機Ｙから被災地にあるユーザ電話機Ｘへそれぞれ通話要求がなされたとすると、優先制御手段４は、ユーザ電話機Ｂからユーザ電話機Ａへの通話要求を、ユーザ電話機Ｙからユーザ電話機Ｘへの通話要求よりも優先するといった具合である。
【００４６】
［５．被災地内同士の通話要求を優先する様に構成］
優先制御手段４は、優先番号データベース３に登録されている電話番号のうち、被災地（輻輳状態である地域）内同士の通話要求を優先する様に構成されても良い。即ち、通話優先順位設定手段５には、被災地から被災地へ通話要求されたものを優先する様に優先順位が設定されており、こうした優先順位に従って優先制御手段４はユーザ電話機間の通話要求を制御しても良い。
【００４７】
なお、被災地から被災地への通話要求を優先するのは、被災地と被災地外との通話要求は大半が安否の確認となる場合が多いのに対し、被災地同士の通話要求は、安否確認よりも緊急性が高い場合が経験的に多く、こうした通話要求を優先する必要があると考えられるからである。
【００４８】
例えば、被災地外にあるユーザ電話機Ｘが被災地にあるユーザ電話機Ｙに対して電話回線網７を介して通話要求を行い、被災地にあるユーザ電話機Ａが被災地にあるユーザ電話機Ｂに対して電話回線網７を介して通話要求を行ったとする。なお、通話要求に伴って、これらの電話番号が優先番号データベース３に記録される。
こうした場合に、被災地にあるユーザ電話機Ｂから被災地にあるユーザ電話機Ａへ、また、被災地にあるユーザ電話機Ｙから被災地外にあるユーザ電話機Ｘへそれぞれ通話要求がなされたとすると、優先制御手段４は、ユーザ電話機Ｂからユーザ電話機Ａへの通話要求を、ユーザ電話機Ｙからユーザ電話機Ｘへの通話要求よりも優先するといった具合である。
【００４９】
［６．事前に登録されたもの同士を優先する様に構成］
優先制御手段４は、優先番号データベース３に登録されている電話番号のうち、事前に登録されているもの同士を優先する様に構成されても良い。即ち、通話優先順位設定手段５には、事前に登録されたもの同士を優先する様に優先順位が設定され、こうした優先順位に従って優先制御手段４がユーザ電話機間の通話要求を制御しても良い。
【００５０】
なお、事前に登録された電話番号同士を優先するのは、特に希望する通話がある場合は事前に相手先の電話番号を知り設定することができるため、事前に設定した電話番号同士の方が、通話したいという要求が一般に強いと考えられるからである。
【００５１】
例えば、事前にユーザ電話機Ａとユーザ電話機Ｂとが優先的に通話したいと設定された状態で、ユーザ電話機Ｘがユーザ電話機Ｙに対して電話回線網７を介して通話要求を行い、ユーザ電話機Ａがユーザ電話機Ｂに対して電話回線網７を介して通話要求を行ったとする。なお、通話要求に伴って、これらの電話番号が優先番号データベース３に記録される。
こうした場合に、ユーザ電話機Ｂからユーザ電話機Ａへ、また、ユーザ電話機Ｙからユーザ電話機Ｘへそれぞれ通話要求がなされたとすると、優先制御手段４は、ユーザ電話機Ｂからユーザ電話機Ａへの通話要求を、ユーザ電話機Ｙからユーザ電話機Ｘへの通話要求よりも優先するといった具合である。
【００５２】
図２は、本発明のトラフィック制御システムの第１の実施態様の流れを示す概略フロー図である。
例えば、ユーザ電話機Ａの地域において大規模災害が発生し、被災地への安否確認等のための通話要求によって回線が輻輳状態になったとする。そして、こうした回線の輻輳状態において、ユーザ電話機Ａからユーザ電話機Ｂに対して電話回線網７を介して通話要求を行なったとする（ステップＳ１）。
【００５３】
なお、ステップＳ１の通話要求があると、トラフィック制御装置２の優先制御手段４は、ユーザ電話機Ａの電話番号とユーザ電話機Ｂの電話番号とが優先番号データベース３に記録された電話番号であるかどうかを判定する。そして、判定の結果、優先番号データベース３に記録されていない電話番号であることが分かると、回線が輻輳状態であるが故に、ユーザ電話機Ａからユーザ電話機Ｂへの通話要求は拒絶されることとなる。
【００５４】
ここで、ユーザ電話機Ａからユーザ電話機Ｂへの通話要求が拒絶されると、トラフィック制御装置２は、ユーザ電話機Ａの電話番号とユーザ電話機Ｂの電話番号とを例えば３０分間、優先番号データベース３に記録する（ステップＳ２）。
【００５５】
次に、ユーザ電話機Ｂがユーザ電話機Ａに対して通話要求を行ない、ユーザ電話機Ｃもユーザ電話機Ａに対して通話要求を行なったとする（ステップＳ３）。
【００５６】
ステップＳ３の通話要求があると、トラフィック制御装置２の優先制御手段４は、ユーザ電話機Ａの電話番号とユーザ電話機Ｂの電話番号とが、優先番号データベース３に記録された電話番号であるかどうかを判定し、また、ユーザ電話機Ａの電話番号とユーザ電話機Ｃの電話番号とが、優先番号データベース３に記録された電話番号であるかどうかを判定する（ステップＳ４）。
【００５７】
そして、ステップＳ４の判定の結果、ユーザ電話機Ａの電話番号とユーザ電話機Ｂの電話番号は優先番号データベース３に記録された電話番号であるが、ユーザ電話機Ｃの電話番号は優先番号データベース３に記録されていないために、優先制御手段４は、ユーザ電話機Ｂからユーザ電話機Ａへの通話要求を、ユーザ電話機Ｃからユーザ電話機Ａへの通話要求よりも優先させ、ユーザ電話機Ｂからユーザ電話機Ａへの通話要求は許可され、ユーザ電話機Ｃからユーザ電話機Ａへの通話要求は拒絶されることとなる。
【００５８】
なお、ユーザ電話機Ｂからユーザ電話機Ａへの通話要求が許可されると、優先番号データベース３に記録されているユーザ電話機Ａの電話番号とユーザ電話機Ｂの電話番号は削除される。通話要求が許可された電話番号については優先番号データベース３から削除することで、他の優先すべき通話要求を優先させることができ、管理サーバへの負荷が少なくなり、サーバへの負荷が少なくなれば処理速度の向上が期待できる。
【００５９】
一方、ユーザ電話機Ｃからユーザ電話機Ａへの通話要求が拒絶されると、トラフィック制御装置２は、ユーザ電話機Ａの電話番号とユーザ電話機Ｃの電話番号とを例えば３０分間、優先番号データベース３に記録する。
【００６０】
ところで、ステップＳ４の判定の際に、ユーザ電話機Ａの電話番号とユーザ電話機Ｂの電話番号が優先番号データベース３に記録されると共に、ユーザ電話機Ｄの電話番号とユーザ電話機Ｅの電話番号も優先番号データベース３に記録されている場合には、通話優先順位設定手段５によって設定された優先順位に従うこととなる。例えば、ユーザ電話機Ｄとユーザ電話機Ｅとの間の通話優先順位が、ユーザ電話機Ａとユーザ電話機Ｂとの間の通話優先順位よりも高く設定されていれば、優先制御手段４によって、ユーザ電話機Ｄとユーザ電話機Ｅとの間の通話要求が、ユーザ電話機Ａとユーザ電話機Ｂとの間の通話要求よりも優先されることとなる。
【００６１】
このとき、通話優先順位設定手段５によって設定された優先順位に従って、通話回線割当手段６が割り当てた電話回線網７に空きがあれば、その回線を介してユーザ電話機Ａとユーザ電話機Ｂとの間の通話要求も許可される。
【００６２】
以上のように、第１の実施態様では、一のユーザ電話機が他のユーザ電話機に対して電話回線網を介して行った通話要求が拒絶された場合に、一のユーザ電話機の電話番号と、一のユーザ電話機から発信した他のユーザ電話機の電話番号とを優先番号データベースに記録し、回線の輻輳状態において他のユーザ電話機が一のユーザ電話機に対して通話要求を行なったとき、他のユーザ電話機から発信する一のユーザ電話機の電話番号と、他のユーザ電話機の電話番号とが、優先番号データベースに記録された電話番号であるかどうかを判定し、記録された電話番号であると判定した場合に、一のユーザ電話機と他のユーザ電話機との間の通話要求を優先させるので、互いに連絡を取り合うことを欲する者同士の通話要求を優先することができる。
【００６３】
また、互いに通信したいという欲求は回線が輻輳状態になった後に高まることから、第１の実施態様では、回線が輻輳状態になった後に優先番号データベースに電話番号を記録し始めている。このことによって、互いに通信したいといったニーズに対応しつつも、システムに過剰な負荷を強いることを回避することができる。
【００６４】
また、大規模災害発生時などの回線の輻輳状態のみにシステムを機能させることで、優先番号データベースに電話番号を記録しておく時間が短時間で済むこととなる。その結果、システムへの負荷が小さくて済み、システムの処理速度の向上が期待できる。
【００６５】
［第２の実施態様］
第２の実施態様のトラフィック制御装置２は、大規模災害が発生しておらず回線が輻輳状態になる前に一のユーザ電話機（例えば、ユーザ電話機Ａ）が他のユーザ電話機（例えば、ユーザ電話機Ｂ）に対して電話回線網７を介して通話要求を行うが、通話要求が許可されなかった場合に、一のユーザ電話機（例えば、ユーザ電話機Ａ）の電話番号と、一のユーザ電話機（例えば、ユーザ電話機Ａ）から発信した他のユーザ電話機（例えば、ユーザ電話機Ｂ）の電話番号とを、優先番号データベース３に例えば１週間記録する。
【００６６】
このとき、優先番号データベース３は、一のユーザ電話機（例えば、ユーザ電話機Ａ）の電話番号を発信側電話番号として記録し、他のユーザ電話機（例えば、ユーザ電話機Ｂ）の電話番号を着信側電話番号として記録する。この点は、上記した第１の実施態様と同様である。
【００６７】
そして、優先制御手段４は、大規模災害が一のユーザ電話機（例えば、ユーザ電話機Ａ）の地域で発生し、回線の輻輳状態において他のユーザ電話機（例えば、ユーザ電話機Ｂ）が一のユーザ電話機（例えば、ユーザ電話機Ａ）に対して通話要求を行なったとき、他のユーザ電話機（例えば、ユーザ電話機Ｂ）から発信する一のユーザ電話機（例えば、ユーザ電話機Ａ）の電話番号と、他のユーザ電話機（例えば、ユーザ電話機Ｂ）の電話番号とが、優先番号データベース３に記録された電話番号であるかどうかを判定し、一のユーザ電話機（例えば、ユーザ電話機Ａ）の電話番号が発信側電話番号として記録された電話番号であり、他のユーザ電話機（例えば、ユーザ電話機Ｂ）の電話番号が着信側電話番号として記録された電話番号であると判定した場合に、ユーザ電話機Ａとユーザ電話機Ｂとの間の通話要求を優先させる。
【００６８】
ここで、第２の実施態様においても、第１の実施態様と同様に、優先制御手段４は、優先番号データベース３に登録されている電話番号のうち、登録が新しいものを優先する様に構成されている。なお、優先制御手段４について、優先番号データベース３に登録されている電話番号のうち、［１］登録が古いものを優先する様に構成、［２］登録の回数が多いものを優先する様に構成、［３］登録の回数が少ないものを優先する様に構成、［４］被災地からの通話要求を優先する様に構成、［５］被災地内同士の通話要求を優先する様に構成、［６］事前に登録がなされたもの同士を優先する様に構成しても良い点についても、上記した第１の実施態様と同様である。
【００６９】
図３は、本発明のトラフィック制御システムの第２の実施態様の流れを示す概略フロー図である。
例えば、ユーザ電話機Ａの地域において大規模災害が発生する２日前に、ユーザ電話機Ａから、ユーザ電話機Ｂに対して電話回線網７を介して通話要求を行なったとする（ステップＳ２１）。
【００７０】
ここで、ステップＳ２１の通話要求があり、何らかの理由によって、ユーザ電話機Ｂのユーザがユーザ電話機Ａからの通話要求に応答できず、ユーザ電話機Ａからユーザ電話機Ｂへの通話要求が拒絶されると、トラフィック制御装置２は、ユーザ電話機Ａの電話番号とユーザ電話機Ｂの電話番号とを例えば１週間、優先番号データベース３に記録する（ステップＳ２２）。
なお、ユーザ電話機Ａからユーザ電話機Ｂへの通話要求を行った時点では、未だ輻輳状態に至っていないために、輻輳が原因で通話要求が拒絶された場合は想定していない。
【００７１】
次に、ユーザ電話機Ａの地域において大規模災害が発生し、被災地への安否確認等のための通話要求によって回線が輻輳状態になったとする。そして、こうした回線の輻輳状態において、安否確認等のためにユーザ電話機Ｂがユーザ電話機Ａに対して通話要求を行ない、ユーザ電話機Ｃもユーザ電話機Ａに対して通話要求を行なったとする（ステップＳ２３）。
【００７２】
ステップＳ２３の通話要求があると、トラフィック制御装置２の優先制御手段４は、ユーザ電話機Ａの電話番号とユーザ電話機Ｂの電話番号とが、優先番号データベース３に記録された電話番号であるかどうかを判定し、また、ユーザ電話機Ａの電話番号とユーザ電話機Ｃの電話番号とが、優先番号データベース３に記録された電話番号であるかどうかを判定する（ステップＳ２４）。
【００７３】
そして、ステップＳ２４の判定の結果、ユーザ電話機Ａの電話番号とユーザ電話機Ｂの電話番号は優先番号データベース３に記録された電話番号であるが、ユーザ電話機Ｃの電話番号は優先番号データベース３に記録されていないために、優先制御手段４は、ユーザ電話機Ｂからユーザ電話機Ａへの通話要求を、ユーザ電話機Ｃからユーザ電話機Ａへの通話要求よりも優先させ、ユーザ電話機Ｂからユーザ電話機Ａへの通話要求は許可され、ユーザ電話機Ｃからユーザ電話機Ａへの通話要求は拒絶されることとなる。なお、ユーザ電話機Ｂからユーザ電話機Ａへの通話要求が許可されると、優先番号データベース３に記録されているユーザ電話機Ａの電話番号とユーザ電話機Ｂの電話番号は削除される。
【００７４】
また、２組のユーザ電話機が共に優先番号データベース３に記録されている場合には、通話優先順位設定手段５によって設定された優先順位に従うという点については、上記した第１の実施態様と同様である。
【００７５】
以上のように、第２の実施態様についても第１の実施態様と同様に、一のユーザ電話機が他のユーザ電話機に対して電話回線網を介して行った通話要求が拒絶された場合に、一のユーザ電話機の電話番号と、一のユーザ電話機から発信した他のユーザ電話機の電話番号とを優先番号データベースに記録し、回線の輻輳状態において他のユーザ電話機が一のユーザ電話機に対して通話要求を行なったとき、他のユーザ電話機から発信する一のユーザ電話機の電話番号と、他のユーザ電話機の電話番号とが、優先番号データベースに記録された電話番号であるかどうかを判定し、記録された電話番号であると判定した場合に、一のユーザ電話機と他のユーザ電話機との間の通話要求を優先させることで、互いに連絡を取り合うことを欲する者同士の通話要求を優先することができる。
【００７６】
［第３の実施態様］
第３の実施態様のトラフィック制御装置２は、回線が輻輳状態になる前または回線が輻輳状態になった後を問わず、一のユーザ電話機（例えば、ユーザ電話機Ａ）が他のユーザ電話機（例えば、ユーザ電話機Ｂ）に対して電話回線網７を介して通話要求を行うが、通話要求が許可されなかった場合に、一のユーザ電話機（例えば、ユーザ電話機Ａ）の電話番号と、一のユーザ電話機（例えば、ユーザ電話機Ａ）から発信した他のユーザ電話機（例えば、ユーザ電話機Ｂ）の電話番号とを、優先番号データベース３に所定の期間記録する。
【００７７】
このとき、優先番号データベース３は、一のユーザ電話機（例えば、ユーザ電話機Ａ）の電話番号を発信側電話番号として記録し、他のユーザ電話機（例えば、ユーザ電話機Ｂ）の電話番号を着信側電話番号として記録する。この点は、上記した第１の実施態様及び第２の実施態様と同様である。
【００７８】
そして、優先制御手段４は、回線の輻輳状態において他のユーザ電話機（例えば、ユーザ電話機Ｂ）が一のユーザ電話機（例えば、ユーザ電話機Ａ）に対して通話要求を行なったとき、他のユーザ電話機（例えば、ユーザ電話機Ｂ）から発信する一のユーザ電話機（例えば、ユーザ電話機Ａ）の電話番号と、他のユーザ電話機（例えば、ユーザ電話機Ｂ）の電話番号とが、優先番号データベース３に記録された電話番号であるかどうかを判定し、一のユーザ電話機（例えば、ユーザ電話機Ａ）の電話番号が発信側電話番号として記録された電話番号であり、他のユーザ電話機（例えば、ユーザ電話機Ｂ）の電話番号が着信側電話番号として記録された電話番号であると判定した場合に、ユーザ電話機Ａとユーザ電話機Ｂとの間の通話要求を優先させる。
【００７９】
ここで、第３の実施態様においても、第１の実施態様及び第２の実施態様と同様に、優先制御手段４は、優先番号データベース３に登録されている電話番号のうち、登録が新しいものを優先する様に構成されている。なお、優先制御手段４について、優先番号データベース３に登録されている電話番号のうち、［１］登録が古いものを優先する様に構成、［２］登録の回数が多いものを優先する様に構成、［３］登録の回数が少ないものを優先する様に構成、［４］被災地からの通話要求を優先する様に構成、［５］被災地内同士の通話要求を優先する様に構成、［６］事前に登録がなされたもの同士を優先する様に構成しても良い点についても、上記した第１の実施態様及び第２の実施態様と同様である。
【００８０】
以上のように、第３の実施態様についても第１の実施態様及び第２の実施態様と同様に、一のユーザ電話機が他のユーザ電話機に対して電話回線網を介して行った通話要求が拒絶された場合に、一のユーザ電話機の電話番号と、一のユーザ電話機から発信した他のユーザ電話機の電話番号とを優先番号データベースに記録し、回線の輻輳状態において他のユーザ電話機が一のユーザ電話機に対して通話要求を行なったとき、他のユーザ電話機から発信する一のユーザ電話機の電話番号と、他のユーザ電話機の電話番号とが、優先番号データベースに記録された電話番号であるかどうかを判定し、記録された電話番号であると判定した場合に、一のユーザ電話機と他のユーザ電話機との間の通話要求を優先させることで、互いに連絡を取り合うことを欲する者同士の通話要求を優先することができる。
【００８１】
なお、上述した本実施の形態では、「優先される通話要求については通話要求が許可され、優先されない通話要求については通話要求が拒絶される」といった場合を例に挙げて説明を行っているが、電話回線網に余裕がなければ優先される通話要求であったとしても、その通話要求が拒絶されることもあり得る。その反面、電話回線網に余裕があれば優先されない通話要求であったとしても、その通話要求が許可されることもあり得る。
即ち、上述した本実施の形態の優先制御手段４は、通話要求を優先させるか否かを判定するに過ぎず、優先すべきと判定されたものであっても通話要求が拒絶されたり、優先すべきでないと判定されたものであっても通話要求が許可されたりすることもあり得るのである。
【００８２】
［変形例］
ここで、第１の実施態様〜第３の実施態様では、優先番号データベース３は、ユーザ電話機の電話番号を所定期間だけ記録する場合を例に挙げて説明を行っているが、必ずしも記録する期間を限定しなくても良い。しかし、無期限に近い長期間例えば５年前に１度だけ、ユーザ電話機が通話要求しただけで、その後まったく通話要求しないような場合までも記録していると、両者の通話要求が優先すべき通話要求であるのかが疑わしくなり、他の優先すべき通話要求を阻害する可能性もあるので、記録する期間を限定する方が好ましい。また、長い期間記録すると、管理サーバへの負荷も大きくなり、負荷が大きくなれば処理速度も低下するので、負荷の軽減及び処理速度向上という点でも、期間を限定することは好ましい。
【００８３】
また、第１の実施態様〜第３の実施態様では、通話要求が許可された場合に、優先番号データベース３に記録された電話番号を削除する場合を例に挙げて説明を行っているが、必ずしも削除する必要は無い。但し、上述の様に、管理サーバの負荷を考慮すると、通話要求が許可された場合には、優先番号データベース３に記録された電話番号を削除する方が好ましい。
【００８４】
また、第１の実施態様〜第３の実施態様では、「通話要求を行ったユーザ電話機」と「通話要求がなされたユーザ電話機」との関係に着目して通話要求の制御を行う場合を例に挙げて説明を行っている。しかし、「通話要求を行ったユーザ電話機」と「通話要求がなされたユーザ電話機」との関係のみならず、「通話要求を行ったユーザ電話機が属するグループ」と「通話要求がなされたユーザ電話機が属するグループ」との関係に着目して通話要求の制御を行うことの方が現実のニーズに即している場合がある。
例えば、大規模災害時には家族間で安否の確認を行うことが一般に考えられるが、安否を知らせたいが輻輳状態であったり、被災により時間的余裕がなかったりといった理由で、家族全員に電話を行わずに、家族の一人に電話をかけ、その家族が他の家族に電話をかけるといったことが考えられる。具体的には、一人暮らしをする子供が住む地域で大規模災害が発生した場合に、父親か母親のいずれかが子供の安否の確認ができれば充分であり（父親と母親の間での連絡は直ぐに行えることが想定できる）、こうした場合に、両親（父親と母親）を単一グループとして考え、両親と子供との関係に着目して通話要求の制御を行うことの方が、父親と子供、母親と子供といった関係に着目して通話要求の制御を行うよりも現実に即していると考えられる。また、子供夫婦が住む地域で大規模災害が発生した場合に、父親か母親のいずれかが子供夫婦のいずれかと電話ができて安否の確認ができれば充分であり（父親と母親の間、子供夫婦の間での連絡は直ぐに行えることが想定できる）、こうした場合に両親（父親と母親）、子供夫婦（子供と子供の配偶者）はそれぞれ単一グループとして考え、両親と子供夫婦といった関係に着目して通話要求の制御を行うことの方が、父親と子供、母親と子供、父親と子供の配偶者、母親と子供の配偶者といった関係に着目して通話要求の制御を行うよりも現実に即していると考えられる。
そのため、通話要求の制御については、「通話要求を行ったユーザ電話機」と「通話要求がなされたユーザ電話機」との関係に着目して制御を行う場合に限定されることなく、事前にユーザ電話機が属するグループを登録した上で、「通話要求を行ったユーザ電話機が属するグループ」と「通話要求がなされたユーザ電話機が属するグループ」との関係に着目して制御を行っても良い。
【００８５】
更に、第１の実施態様〜第３の実施態様では、「通話要求が許可されなかった際（通話要求が拒絶された際）に優先番号データベース３に記録される場合」を例に挙げて説明を行っている。しかし、通話要求をする側とされる側とは、営業電話等の例外的な場合もあるが、親しい間柄である場合が多く、「通話要求が許可されなかった際に優先番号データベース３に記録される場合」に限定する必要はなく、「通話要求がなされた時点で優先番号データベース３に記録される場合」であっても良い。即ち、通話要求の結果に関わらず、換言すると、通話が許可されたのか通話が拒絶されたのかに関わらず、優先番号データベース３に記録しても良い。
【符号の説明】
【００８６】
１    トラフィック制御システム
２    トラフィック制御装置
３    優先番号データベース
４    優先制御手段
５    通話優先順位設定手段
６    通話回線割当手段
７    電話回線網
８    加入者交換機
９    中継交換機
【図１】
2011239316.tif 000003
【図２】
2011239316.tif 000004
【図３】
2011239316.tif 000005